(57)【要約】      （修正有）【課題】無線ブリッジ式テレビ及び無線ブリッジ式テレビシステムを提供する。【解決手段】無線ブリッジ式テレビ１は、テレビ信号源２が発出するテレビ情報を放送することに適用し、テレビ信号線３に接続することに用いる。且つテレビ信号線を経由してテレビ信号源が発出するテレビ情報を取得する有線モジュール１０と、有線モジュールに接続し、有線モジュールが受信するテレビ情報を取得し、テレビ情報の放送を提供する放送モジュール１２と、有線モジュールが受信したテレビ情報を取得し、且つテレビ情報を無線信号に変換する無線ブリッジモジュール１４と、含む。【選択図】図１
0003164486.tif 000002
【実用新案登録請求の範囲】
【請求項１】
テレビ信号源が発出するテレビ情報を放送することに適用する無線ブリッジ式テレビであって、
テレビ信号線に接続することに用い、且つ該テレビ信号線を経由して該テレビ信号源が発出する該テレビ情報を取得する有線モジュールと、該有線モジュールに接続し、該有線モジュールが受信する該テレビ情報を取得し、該テレビ情報の放送を提供する放送モジュールと、該有線モジュールが受信した該テレビ情報を取得し、且つ該テレビ情報を無線信号に変換する無線ブリッジモジュールと、含む無線ブリッジ式テレビ。
【請求項２】
テレビ信号源が発出する第１テレビ情報を放送することに適用する無線ブリッジ式テレビシステムであって、
第１有線モジュールと、第１放送モジュールと、第１無線ブリッジモジュールと、を少なくとも有し、
該第１有線モジュールがテレビ信号線を接続することに用い、且つ該テレビ信号線を経由して該テレビ信号源が発出する該第１テレビ情報を取得し、
該第１放送モジュールは、該第１有線モジュールを接続し、該第１有線モジュールが受信する該第１テレビ情報を取得し、且つ該第１放送モジュールは、該第１テレビ情報の放送を提供し、
該第１無線ブリッジモジュールは、該第１有線モジュールが受信する該第１テレビ情報を取得し、且つ該第１テレビ情報を第１無線信号に変換する第１テレビと、
第２無線ブリッジモジュールと、第２放送モジュールと、を少なくとも有し、
該第２無線ブリッジモジュールは、該第１無線ブリッジモジュールが伝送する該第１無線信号を受信し、該第１無線信号を第２テレビ情報に変換し、
該第２放送モジュールは、該第２無線ブリッジモジュールに接続し、該第２テレビ情報の放送を提供する第２テレビと、
を含む無線ブリッジ式テレビシステム。
【請求項３】
更に、第３テレビを含み、該第３テレビは、第３無線ブリッジモジュール及び第３放送モジュールと、を少なくとも有し、該第３無線ブリッジモジュールは、該第１無線ブリッジモジュールが伝送する該第１無線信号と、該第２無線ブリッジモジュールが受信する該第１無線信号を変換し伝送する第２無線信号をと、を受信し、且つ該第３無線ブリッジモジュールは、該第１無線信号及び該第２無線信号を第３テレビ情報に変換し、該第３放送モジュールが該第３テレビ情報の放送を提供する請求項２に記載の無線ブリッジ式テレビシステム。
【考案の詳細な説明】
【技術分野】
【０００１】
本考案は、無線ブリッジ式テレビ及びそのシステムに関し、特に、無線ブリッジモジュールにより電子信号線の数量を減少するテレビ及びそのシステムに関する。
【背景技術】
【０００２】
現有のテレビの多くがテレビ信号線に直接接続した後、テレビ信号源が発出するテレビ情報を取得し、放送を行う。テレビの普及及び人々のテレビに対する依頼度の大幅な向上により、一般の家中に複数台のテレビを有し、家中の各構成員がリビング、寝室、台所、更にはトイレにそれぞれ１つ又は複数台のテレビを設置し、観覧を行うようになっている。
【０００３】
しかしながら、家中の各テレビは、何れもテレビ信号線に接続する必要があり、複数のテレビ信号線をそれぞれ家中の各隅に引く必要が生じている。このように、使用者は、如何に動線を妨げない状況で複数のテレビ信号線を引くか考慮する必要があるだけでなく、複数のテレビ信号線の線路の交錯が引き起こす線路の混乱を如何に回避し、将来の線路メンテナンス時に如何に便利に特定のテレビ信号線を探し出すことができるよう設計かを考慮する必要がある。
【０００４】
このため、市場に無線伝送方式により信号線の技術に取って代わる技術が出現し、例えば、台湾特許出願公開第２００９４３１６６号公報は、無線表示システムを開示し、それは、無線伝送モジュールを介し、無線伝送を相互に行なう少なくとも１つの情報提供ユニット及び表示ユニットを有する。該無線表示システムは、更に該上方提供ユニット中に設置される識別番号発生ユニット及び該表示ユニット内に配設される識別ユニットを含む。該識別番号発生ユニットは、該情報提供ユニットに相対する識別番号を該表示ユニットに発生することに用い、該識別ユニットは、該識別番号を受信することに用い、認証データベース照合が該識別番号を受信し、該識別番号は、該認証データベース照合に適合した後、該識別番号発生ユニットに接続信号をフィードバックし、該表示ユニットに該無線伝送モジュールを介して該情報提供ユニットから発生する映像情報を受信、表示させる。上記技術の表示ユニットは、相対する情報提供ユニットと映像情報を無線伝送し、異なる源の映像除法を受信し、信号の混乱を発生することを回避する。
【先行技術文献】
【特許文献】
【０００５】
【特許文献１】台湾特許出願公開第２００９４３１６６号公報
【考案の概要】
【考案が解決しようとする課題】
【０００６】
しかしながら、上記技術は、別途表示ユニットに１つ又は複数の情報提供ユニットを増設する必要があるが、前記情報提供ユニットのコストは、一般テレビ信号線のコストより高く、且つ更に識別番号発生ユニット及び識別ユニットを別途追加するコストが必要である。従って、適切なコストで複数のテレビ信号線の困難を解決するかは、関連業者が直面する緊急な課題となっている。
【課題を解決するための手段】
【０００７】
本考案の目的は、テレビ信号源が発出するテレビ情報を放送することに適用する無線ブリッジ式テレビであって、テレビ信号線に接続することに用い、且つ該テレビ信号線を経由して該テレビ信号源が発出する該テレビ情報を取得する有線モジュールと、該有線モジュールに接続し、該有線モジュールが受信する該テレビ情報を取得し、該テレビ情報の放送を提供する放送モジュールと、該有線モジュールが受信した該テレビ情報を取得し、且つ該テレビ情報を無線信号に変換する無線ブリッジモジュールと、含む無線ブリッジ式テレビを提供することにある。
【０００８】
本考案のもう１つの目的は、テレビ信号源が発出する第１テレビ情報を放送することに適用する無線ブリッジ式テレビシステムであって、第１テレビ及び第２テレビを含み、該第１テレビは、第１有線モジュールと、第１放送モジュールと、第１無線ブリッジモジュールと、を少なくとも有し、該第１有線モジュールがテレビ信号線を接続することに用い、且つ該テレビ信号線を経由して該テレビ信号源が発出する該第１テレビ情報を取得し、該第１放送モジュールは、該第１有線モジュールを接続し、該第１有線モジュールが受信する該第１テレビ情報を取得し、且つ該第１放送モジュールは、該第１テレビ情報の放送を提供し、該第１無線ブリッジモジュールは、該第１有線モジュールが受信する該第１テレビ情報を取得し、且つ該第１テレビ情報を第１無線信号に変換し、該第２テレビは、第２無線ブリッジモジュールと、第２放送モジュールと、を少なくとも含み、該第２無線ブリッジモジュールは、該第１無線ブリッジモジュールが伝送する該第１無線信号を受信し、該第１無線信号を第２テレビ情報に変換し、該第２放送モジュールは、該第２無線ブリッジモジュールに接続し、該第２テレビ情報の放送を提供する無線ブリッジ式テレビシステムを提供することにある。
【考案の効果】
【０００９】
このように、放送モジュールの資源を消費する必要がなく、且つ該テレビ情報を該無線信号に変換する時間を短縮することができ、現有の高効率な無線ブリッジモジュールの機能を効率的発揮することができる。
【図面の簡単な説明】
【００１０】
【図１】本考案の無線ブリッジ式テレビの好適実施例のブロック説明図である。
【図２】本考案の無線ブリッジ式テレビの他の好適実施例のブロック説明図である。
【図３】本考案の無線ブリッジ式テレビの更に他の好適実施例のブロック説明図である。
【図４】本考案の無線ブリッジ式テレビシステムの好適実施例のブロック説明図である。
【図５】本考案の無線ブリッジ式テレビシステムの他の好適実施例のブロック説明図である。
【考案を実施するための形態】
【００１１】
本考案の上記及びその他の目的、特徴と利点を分かり易くする為、以下に好適実施例を挙げ、図面に併せ、詳細に説明する。
【００１２】
図１は、本考案の無線ブリッジ式テレビの好適実施例のブロック説明図である。本考案は、テレビ信号源２が発出するテレビ情報を放送することに適用する無線ブリッジ式テレビ１を提供する。該無線ブリッジ式テレビ１は、有線モジュール１０と、放送モジュール１２と、無線ブリッジモジュール１４と、を含む。
【００１３】
該有線モジュール１０は、テレビ信号線３に接続することに用い、且つ該テレビ信号線３を経由し、該テレビ信号源２が発出する該テレビ情報を取得する。該無線ブリッジ式テレビ１がテレビ信号源２の発出する該テレビ情報を単一方向に受信する機能のみを有する場合、該有線モジュール１０は、優先信号受信器であることができる。該無線ブリッジ式テレビ１は、テレビ信号源２と双方向コミュニケーションする機能を有する場合、例えば、デジタルテレビであれば、該有線モジュール１０は、有線信号受信器であることができる。
【００１４】
放送モジュール１２は、該有線モジュール１０に接続し、該有線モジュール１０が受信する該テレビ情報を取得し、且つ該放送モジュール１２は、該テレビ情報の放送を提供する。該テレビ情報は、通常、映像（video）情報及び音声（audio）情報を含むので、該映像情報及び該音声情報をそれぞれ放送し、該放送モジュール１２は、表示装置及び音響装置を有する。
【００１５】
無線ブリッジモジュール１４は、該有線モジュール１０が受信する該テレビ情報を取得し、且つ該テレビ情報を無線信号に変換し、外向きに伝送する。該無線ブリッジモジュール１４は、ＩＥＥＥ ８０２．１１ａ/ｂ/ｇ/ｎ、ＷＵＳＢ (wireless universal series bus)、ブルートゥース(bluetooth)等の拘束無線伝送方式を用いることができる。該無線ブリッジモジュール１４は、無線信号伝送器又は無線信号受発信器である。該無線ブリッジモジュール１４が無線信号伝送器であれば、該テレビ情報を変換した該無線信号を外浮きに伝送することのみできる。該該無線ブリッジモジュール１４が無線信号受発信器であれば、他の無線ブリッジ式テレビ（図示せず）が伝送する無線信号を受信することができる。本実施例中、該無線ブリッジモジュール１４は、該放送モジュール１２に接続し、且つ該無線ブリッジモジュール１４は、該放送モジュール１２により該有線モジュール１０が受信する該テレビ情報を取得する。
【００１６】
また、無線ブリッジ式テレビ１がある箇所の環境において他の無線ブリッジ式テレビ（図示せず）を検出しない場合、該無線ブリッジモジュール１４は、該テレビ情報を変換した該無線信号を外向きに伝送する必要がなく、電力の浪費を回避することができる。反対に、無線ブリッジ式テレビがある箇所の環境においてその他の該無線ブリッジ式テレビ、例えば、図２の第２テレビ５を検出する場合、第２テレビ５の起動時又は定時に無線請求信号６を伝送するよう設定することができるが、該無線ブリッジ式テレビ１の該無線ブリッジモジュール１４が該第２テレビ５の伝送する無線請求信号６を受信した後、始めて該テレビ情報を該無線信号に変換することを開始し、これにより、電力を節約する。
【００１７】
図３は、本考案の無線ブリッジ式テレビの他の好適実施例のブロック説明図である。本実施例の特徴は、該無線ブリッジモジュール１４が該有線モジュール１０に直接接続することにあるので、該無線ブリッジモジュール１４は、該有線モジュール１０が受信する該テレビ情報を直接取得し、且つ該テレビ情報を迅速に該無線信号に変換する。このように、放送モジュール１２の資源を消費する必要がなく、且つ該テレビ情報を該無線信号に変換する時間を短縮することができ、現有の高効率な該無線ブリッジモジュール１４の機能を効率的発揮することができる。
【００１８】
図４は、本考案の無線ブリッジ式テレビシステムの好適実施例のブロック説明図である。本実施例と前記実施例の部材部分は、同一であるので、同一の部材符号を援用する。本考案は、テレビ情報源２が発出する第１テレビ情報を放送することに適用する無線ブリッジ式テレビシステム７を提供する。該無線ブリッジ式テレビシステム７は、第１テレビ８及び第２テレビ５を含む。
【００１９】
該第１テレビ８は、第１有線モジュール８０と、第１放送モジュール８２と、第１無線ブリッジモジュール８４と、を少なくとも有する。該第１有線モジュール８０は、該テレビ信号線３に接続することに用い、且つ該テレビ信号線３を経由し、該テレビ信号源３を経由し、該テレビ信号源２が発出する該第１テレビ信号を取得する。該第１放送モジュール８２は、該第１有線モジュール８０に接続し、該第１有線モジュール８０が受信する該第１テレビ情報を取得し、且つ該第１放送モジュール８２は、該第１テレビ情報の放送を提供する。該第１無線ブリッジモジュール８４は、該第１有線モジュール８０が受信する該第１テレビ情報を取得し、且つ該代地位テレビ情報を第１無線信号に変換する。該第１無線ブリッジモジュール８４は、図１の実施例に示すように、第１放送モジュール８２により該第１有線モジュールが受信する該第１テレビ情報を間接的に取得することができ、該第１無線ブリッジモジュール８４は、図３の実施例に示すように、該第１有線モジュール８０が受信する該テレビ情報を直接取得することもできる。
【００２０】
該第２テレビ５は、第２無線ブリッジモジュール５４及び第２放送モジュール５２を少なくとも有する。該第２無線ブリッジモジュール５４は、該第１無線ブリッジモジュール８４が伝送する該第１無線信号を受信し、該第１無線信号を第２無線情報に変換する。該第２放送モジュール５２は、該第２無線ブリッジモジュール５４に接続し、該第２情報の放送を提供する。
【００２１】
製造業者は、該第１テレビ８及び該第２テレビ５のためにそれぞれ異なる鋳型及び部材材料を製造し、生産コストが上昇することを回避するため、好適な設計方式は、該第１テレビ８及び該第２テレビ５は、何れも有線モジュール、放送モジュール及び無線ブリッジモジュールを有する。本実施例中、該第２テレビ５は、第２有線モジュール５０を有するが、第２有線モジュール５０は、本考案の無線ブリッジ式テレビシステムにおいて、必要不可欠な部材ではなく、要求に応じて設置又は非設置とすることができる。
【００２２】
同様に、該第２無線ブリッジモジュール５４は、図１の実施例に示すように、第２放送モジュール５２により該第２有線モジュール５０が受信する該第２テレビ情報を間接的に取得することができ、図３の実施例に示すように、該第２有線モジュール５０が受信する該テレビ情報を直接取得することもできる。また、図２の実施例と比較し、該第２テレビ５は、該第２無線ブリッジモジュール５４を経由し、該無線請求信号６に伝送した後、第１テレビ８の第１無線ブリッジモジュール８４は、始めて該第１テレビ情報を該第１無線信号に変換することを開始し、電力を節約する。
【００２３】
図５は、本考案の無線ブリッジ式テレビシステムの他の好適実施例のブロック説明図である。本実施例及び前記実施例のテレビ信号源２、第１テレビ８、第２テレビ５等の部材は、基本的に一致するので、部材符号を援用する。本実施例の特徴は、該第２無線ブリッジモジュール（図示せず）が受信する該第１無線信号Ｗ１を第２無線信号Ｗ２に変換し、該第２無線信号Ｗ２を伝送することにある。また、本考案の無線ブリッジ式テレビシステムは、第３テレビ９を有し、該第３テレビ９は、第３無線ブリッジモジュール９４及び第３放送モジュール９２を少なくとも有する。該第３無線ブリッジモジュール９４は、該第１無線ブリッジモジュール（図示せず）が伝送する該第１無線信号Ｗ１及び該第２無線ブリッジモジュールが伝送する該第２無線信号Ｗ２を受信し、且つ該第３無線ブリッジモジュール９４は、該第１無線信号Ｗ１及び該第２無線信号Ｗ２を第３無線情報に変換し、該第３放送モジュール９２は、該第３テレビ情報の放送を提供する。
【００２４】
本実施例は、ピアツーピア（peer-to-peer）の伝送方式を参考とし、第３テレビ９にそれぞれ該第１無線ブリッジモジュールが伝送する該第１無線信号Ｗ１及び該第２無線ブリッジモジュールが伝送する該第２無線信号Ｗ２を取得することができ、それにより、無線伝送性能を向上し、該第３テレビ情報の放送をより快適にする。また、同様に、第４、第５、・・・、第Ｎテレビに応じて無線伝送性能を向上することができる。
【００２５】
同様に、製造業者は、該第１テレビ８、該第２テレビ５及び該第３テレビ９のためにそれぞれ異なる鋳型及び部材材料を製造し、生産コストが上昇することを回避するため、好適な設計方式は、該第１テレビ８、該第２テレビ５及び該第３テレビ９が何れも有線モジュール、放送モジュール及び無線ブリッジモジュールを有するというものである。本実施例中、該第３テレビ９は、第３有線モジュール９０を有するが、第３有線モジュール９０は、本考案の無線ブリッジ式テレビシステムにおいて必要不可欠な部材ではなく、要求に応じて設置又は非設置とすることができる。
【００２６】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２７】
１  無線ブリッジ式テレビ
２  テレビ信号源
３  テレビ信号線
１０  有線モジュール
１２  放送モジュール
１４  無線ブリッジモジュール
５  第２テレビ
５０  第２有線モジュール
５２  第２放送モジュール
５４  第２無線ブリッジモジュール
６  無線請求信号
７  無線ブリッジ式テレビシステム
８  第1テレビ
８０  第１有線モジュール
８２  第1放送モジュール
８４  第1無線ブリッジモジュール
９  第３テレビ
９０  第３有線モジュール
９２  第３放送モジュール
９４  第３無線ブリッジモジュール
Ｗ１  第１無線信号
Ｗ２  第２無線信号
【図１】
0003164486.tif 000003
【図２】
0003164486.tif 000004
【図３】
0003164486.tif 000005
【図４】
0003164486.tif 000006
【図５】
0003164486.tif 000007